(57)【要約】【課題】小型化を図りつつ、広い音域で音質を向上させることができる音響装置を提供する。【解決手段】音響装置１Ａは、振動部材３と、振動部材３に設けられた圧電振動子Ｐ１及び圧電振動子Ｐ２と、を備え、圧電振動子Ｐ１の固有振動数は、圧電振動子Ｐ２の固有振動数よりも大きい。【選択図】図１
2020120196.tif 000002
【特許請求の範囲】
【請求項１】
振動部材と、
前記振動部材に設けられた第１圧電振動子及び第２圧電振動子と、を備え、
前記第１圧電振動子の固有振動数は、前記第２圧電振動子の固有振動数よりも大きい、音響装置。
【請求項２】
前記振動部材の主面に直交する方向から見て、前記第１圧電振動子の最大長さは、前記第２圧電振動子の最大長さよりも短い、請求項１に記載の音響装置。
【請求項３】
前記第１圧電振動子及び前記第２圧電振動子は、同じ駆動信号によって同期して駆動される、請求項１又は２に記載の音響装置。
【請求項４】
前記振動部材の主面に直交する方向から見て、前記第１圧電振動子と前記第２圧電振動子との間の距離は、前記第２圧電振動子の最大長さよりも長い、請求項１〜３のいずれか一項に記載の音響装置。
【請求項５】
前記振動部材の主面に直交する方向から見て、前記第１圧電振動子と前記第２圧電振動子との間の距離は、前記第２圧電振動子の最大長さよりも短い、請求項１〜３のいずれか一項に記載の音響装置。
【請求項６】
前記振動部材を拘束する拘束部材を更に備え、
前記振動部材の主面に直交する方向から見て、前記第１圧電振動子と前記拘束部材との間の距離は、前記第２圧電振動子と前記拘束部材との間の距離よりも長い、請求項１〜５のいずれか一項に記載の音響装置。
【請求項７】
前記振動部材の主面に直交する方向から見て、前記第１圧電振動子と前記主面の重心との間の距離は、前記第２圧電振動子と前記重心との間の距離よりも短い、請求項６に記載の音響装置。
【発明の詳細な説明】
【技術分野】
【０００１】
本発明の一つの形態は、音響装置に関する。
【背景技術】
【０００２】
特許文献１には、屈曲性を有する支持体と、支持体に配置された圧電素子と、を備える圧電スピーカが記載されている。この圧電スピーカによれば、電磁石を用いた電磁スピーカに比べて小型化を図ることができる。
【先行技術文献】
【特許文献】
【０００３】
【特許文献１】特許第６０１０５２５号公報
【発明の概要】
【発明が解決しようとする課題】
【０００４】
上述の圧電スピーカでは、電磁スピーカに比べて音域が狭い。
【０００５】
本発明の一つの態様は、小型化を図りつつ、広い音域で音質を向上させることができる音響装置を提供する。
【課題を解決するための手段】
【０００６】
本発明の一つの態様に係る音響装置は、振動部材と、振動部材に設けられた第１圧電振動子及び第２圧電振動子と、を備え、第１圧電振動子の固有振動数は、第２圧電振動子の固有振動数よりも大きい。
【０００７】
この音響装置では、第１圧電振動子の固有振動数は、第２圧電振動子の固有振動数よりも大きい。このため、第１圧電振動子は、第２圧電振動子に比べて高音域で音質を向上させることがでる。第２圧電振動子は、第１圧電振動子に比べて低音域で音質を向上させることができる。よって、小型化を図りつつ、広い音域で音質を向上させることができる。
【０００８】
上記一つの態様では、振動部材の主面に直交する方向から見て、第１圧電振動子の最大長さは、第２圧電振動子の最大長さよりも短くてもよい。この場合、第１圧電振動子の固有振動数が第２圧電振動子の固有振動数よりも大きくなる構成を容易に実現できる。
【０００９】
上記一つの態様では、第１圧電振動子及び第２圧電振動子は、同じ駆動信号によって同期して駆動されてもよい。この場合、第１圧電振動子及び第２圧電振動子を異なる駆動信号によって駆動する場合に比べて、制御回路の構成が複雑化することを抑制しながら、広い音域で音質を向上させることができる。
【００１０】
上記一つの態様では、振動部材の主面に直交する方向から見て、第１圧電振動子と第２圧電振動子との間の距離は、第２圧電振動子の最大長さよりも長くてもよい。この場合、第１圧電振動子の音と第２圧電振動子の音とをそれぞれ独立した音とすることができる。
【００１１】
上記一つの態様では、振動部材の主面に直交する方向から見て、第１圧電振動子と第２圧電振動子との間の距離は、第２圧電振動子の最大長さよりも短くてもよい。この場合、第１圧電振動子の音と、第２圧電振動子の音とのつながりがよくなる。
【００１２】
上記一つの態様は、振動部材を拘束する拘束部材を更に備え、振動部材の主面に直交する方向から見て、第１圧電振動子と拘束部材との間の距離は、第２圧電振動子と拘束部材との間の距離よりも長くてもよい。この場合、第１圧電振動子は、拘束部材までの距離が比較的長いので、高音域で音質を更に向上させることができる。第２圧電振動子は、拘束部材までの距離が比較的短いので、低音域で音質を更に向上させることができる。よって、広い音域で音質を更に向上させることができる。
【００１３】
上記一つの態様では、振動部材の主面に直交する方向から見て、第１圧電振動子と主面の重心との間の距離は、第２圧電振動子と重心との間の距離よりも短くてもよい。この場合、第１圧電振動子は、高音域で音質を確実に向上させることができる。よって、広い音域で音質を確実に向上させることができる。
【発明の効果】
【００１４】
本発明の一つの態様によれば、小型化を図りつつ、広い音域で音質を向上させることができる音響装置が提供される。
【図面の簡単な説明】
【００１５】
【図１】第１実施形態に係る音響装置を示す平面図である。
【図２】図１の音響装置を示す断面図である。
【図３】図１の圧電振動子の分解斜視図である。
【図４】図１の圧電振動子の断面図である。
【図５】第２実施形態に係る音響装置を示す平面図である。
【図６】第３実施形態に係る音響装置を示す平面図である。
【図７】第４実施形態に係る音響装置を示す平面図である。
【図８】第５実施形態に係る音響装置を示す平面図である。
【図９】振動部材の変位について説明するための図である。
【図１０】第６実施形態に係る音響装置を示す平面図である。
【図１１】第７実施形態に係る音響装置を示す平面図である。
【図１２】第８実施形態に係る音響装置を示す平面図である。
【図１３】第９実施形態に係る音響装置を示す平面図である。
【図１４】第１０実施形態に係る音響装置を示す平面図である。
【図１５】第１１実施形態に係る音響装置を示す平面図である。
【図１６】第１２実施形態に係る音響装置を示す平面図である。
【図１７】第１３実施形態に係る音響装置を示す平面図である。
【図１８】第１４実施形態に係る音響装置を示す平面図である。
【発明を実施するための形態】
【００１６】
以下、添付図面を参照して、実施形態について詳細に説明する。なお、説明において、同一要素又は同一機能を有する要素には、同一符号を用いることとし、重複する説明は省略する。
【００１７】
（第１実施形態）
図１は、第１実施形態に係る音響装置を示す平面図である。図２は、図１の音響装置を示す断面図である。図１及び図２に示されるように、第１実施形態に係る音響装置１Ａは、拘束部材２と、振動部材３と、一対の圧電振動子Ｐ１と、一対の圧電振動子Ｐ２と、を備えている。圧電振動子Ｐ１と圧電振動子Ｐ２とは、互いに異なる固有振動数を有している。固有振動数は、圧電振動子Ｐ１及び圧電振動子Ｐ２の形状、材料、密度、構造、及び応力等によって変化する。密度は、材料だけでなく、製造方法によっても変化する。音響装置１Ａは、例えば、一対の圧電振動子Ｐ１及び一対の圧電振動子Ｐ２によって振動部材３を振動させることで音を発生させる。音響装置１Ａは、例えば、スピーカ又はブザーとして用いられる。
【００１８】
拘束部材２は、例えば長方形状の枠体であり、振動部材３の外縁部を拘束している。拘束部材２は、外縁部の全周を拘束している。拘束部材２の内縁部には、外縁部が接合される段差部２ａが形成されている。長方形状には、たとえば、各角が面取りされている形状、及び、各角が丸められている形状が含まれる。
【００１９】
振動部材３は、例えば長方形状の板部材である。振動部材３は、屈曲性を有する。振動部材３は、例えば樹脂、ガラス、又は金属からなる。振動部材３は、互いに対向している一対の主面３ａ，３ｂを有している。各主面３ａ，３ｂは、一対の長辺と一対の短辺とを有する長方形状を呈している。主面３ｂの外縁部は、拘束部材２の段差部２ａに接合されている。主面３ｂの外縁部は、段差部２ａに支持された状態で拘束されている。振動部材３の外縁部は、各主面３ａ，３ｂの長辺を含む一対の長辺部分３ｃと、各主面３ａ，３ｂの短辺を含む一対の短辺部分３ｄと、を有している。
【００２０】
以下では、各主面３ａ，３ｂの長辺方向を第１方向Ｄ１、短辺方向を第２方向Ｄ２、対向方向を第３方向Ｄ３とする。第３方向Ｄ３は、各主面３ａ，３ｂに直交する方向でもある。振動部材３の長さ（第１方向Ｄ１での振動部材３の長さ）は、例えば、２４０ｍｍである。振動部材３の幅（第２方向Ｄ２での振動部材３の長さ）は、例えば、１６０ｍｍである。振動部材３の厚さ（第３方向Ｄ３での振動部材３の長さ）は、例えば、１．０５ｍｍである。
【００２１】
図３は、図１の圧電振動子Ｐ１の分解斜視図である。図４は、図１の圧電振動子Ｐ１の断面図である。図３及び図４に示されるように、圧電振動子Ｐ１は、圧電素体１１と、複数（ここでは３つ）の外部電極１３，１４，１５と、を有している。圧電振動子Ｐ１は、例えばバイモルフ型の圧電素子である。
【００２２】
圧電素体１１は、直方体形状を呈している。直方体形状には、たとえば、角部及び稜線部が面取りされている直方体の形状、及び、角部及び稜線部が丸められている直方体の形状が含まれる。圧電素体１１は、互いに対向している一対の主面１１ａ，１１ｂと、一対の主面１１ａ，１１ｂを互いに接続している４つの側面１１ｃと、を有している。一対の主面１１ａ，１１ｂが対向している方向は、第３方向Ｄ３と一致している。
【００２３】
各主面１１ａ，１１ｂは、一対の長辺と一対の短辺とを有する長方形状を呈している。すなわち、圧電振動子Ｐ１（圧電素体１１）は、平面視で、一対の長辺と一対の短辺とを有する長方形状を呈している。圧電素体１１の長さ（主面１１ａの長辺方向での圧電素体１１の長さ）は、例えば、３０ｍｍである。圧電素体１１の幅（主面１１ａの短辺方向での圧電素体１１の長さ）は、例えば、１５ｍｍである。圧電素体１１の厚さ（第３方向Ｄ３での圧電素体１１の長さ）は、例えば、０．７ｍｍである。
【００２４】
圧電素体１１は、複数の圧電体層１７ａ，１７ｂ，１７ｃ，１７ｄを含んでいる。複数の圧電体層１７ａ，１７ｂ，１７ｃ，１７ｄは、この順に積層されている。複数の圧電体層１７ａ，１７ｂ，１７ｃ，１７ｄの積層方向は、第３方向Ｄ３と一致している。圧電体層１７ａは、主面１１ａを有している。圧電体層１７ｄは、主面１１ｂを有している。圧電体層１７ｂ，１７ｃは、圧電体層１７ａと圧電体層１７ｄとの間に位置している。本実施形態では、各圧電体層１７ａ，１７ｂ，１７ｃ，１７ｄの厚さは同等である。同等には、製造誤差の範囲が含まれている。
【００２５】
各圧電体層１７ａ，１７ｂ，１７ｃ，１７ｄは、圧電材料からなる。本実施形態では、各圧電体層１７ａ，１７ｂ，１７ｃ，１７ｄは、圧電セラミック材料からなる。圧電セラミック材料には、たとえば、ＰＺＴ［Ｐｂ（Ｚｒ、Ｔｉ）Ｏ３］、ＰＴ（ＰｂＴｉＯ３）、ＰＬＺＴ［（Ｐｂ，Ｌａ）（Ｚｒ、Ｔｉ）Ｏ３］、又はチタン酸バリウム（ＢａＴｉＯ３）が用いられる。各圧電体層１７ａ，１７ｂ，１７ｃ，１７ｄは、例えば、上述した圧電セラミック材料を含むセラミックグリーンシートの焼結体から構成される。実際の圧電素体１１では、各圧電体層１７ａ，１７ｂ，１７ｃ，１７ｄは、各圧電体層１７ａ，１７ｂ，１７ｃ，１７ｄの間の境界が認識できない程度に一体化されている。
【００２６】
各外部電極１３，１４，１５は、主面１１ａ上に配置されている。外部電極１３，１４，１５は、主面１１ａの一方の短辺側において、外部電極１３、外部電極１４、外部電極１５の順で当該一方の短辺に沿って並んでいる。外部電極１３と外部電極１４とは、主面１１ａの短辺方向で隣り合っている。外部電極１４と外部電極１５とは、主面３ａの短辺方向で隣り合っている。主面１１ａの短辺方向において、外部電極１４と外部電極１５との間の距離（最短距離）は、外部電極１３と外部電極１４との間の距離（最短距離）よりも長い。各外部電極１３，１４，１５は、第３方向Ｄ３から見て、主面１１ａの全ての縁（四辺）から離間している。
【００２７】
各外部電極１３，１４は、第３方向Ｄ３から見て、長方形状を呈している。本実施形態では、長方形状の各角が丸められている。外部電極１５は、第３方向Ｄ３から見て、正方形状を呈している。正方形状には、たとえば、各角が面取りされている形状、及び、各角が丸められている形状が含まれる。本実施形態では、正方形状の各角が丸められている。各外部電極１３，１４，１５は、導電性材料からなる。導電性材料には、たとえば、Ａｇ、Ｐｄ、Ｐｔ、又はＡｇ−Ｐｄ合金が用いられる。各外部電極１３，１４，１５は、たとえば、上記導電性材料を含む導電性ペーストの焼結体として構成されている。
【００２８】
圧電振動子Ｐ１は、圧電素体１１内に配置されている複数の内部電極２１，２２，２３を備えている。各内部電極２１，２２，２３は、導電性材料からなる。導電性材料には、たとえば、Ａｇ、Ｐｄ、Ｐｔ、又はＡｇ−Ｐｄ合金が用いられる。各内部電極２１，２２，２３は、たとえば、上記導電性材料を含む導電性ペーストの焼結体として構成されている。本実施形態では、各内部電極２１，２２，２３の外形形状は、長方形状を呈している。
【００２９】
各内部電極２１，２２，２３は、第３方向Ｄ３において異なる位置（層）に配置されている。内部電極２１，２２，２３の各々は、互いに、第３方向Ｄ３に間隔を有して対向している。各内部電極２１，２２，２３は、圧電素体１１の表面には露出していない。すなわち、各内部電極２１，２２，２３は、各側面１１ｃには露出していない。各内部電極２１，２２，２３は、第３方向Ｄ３から見て、主面１１ａ，１１ｂの全ての縁（四辺）から離間している。
【００３０】
内部電極２１は、圧電体層１７ａと圧電体層１７ｂとの間に位置している。内部電極２２は、圧電体層１７ｂと圧電体層１７ｃとの間に位置している。内部電極２３は、圧電体層１７ｃと圧電体層１７ｄとの間に位置している。
【００３１】
外部電極１３は、内部電極２１と複数の接続導体３３とに複数のビア導体４３を通して電気的に接続されている。複数の接続導体３３は、それぞれ、内部電極２２，２３と同じ層に位置している。具体的には、各接続導体３３は、各内部電極２２，２３に形成された開口内に位置している。各開口は、第３方向Ｄ３から見て、外部電極１３に対応する位置に形成されている。すなわち、各接続導体３３は、第３方向Ｄ３から見て、各内部電極２２，２３に囲まれている。各接続導体３３は、各内部電極２２，２３から離間している。
【００３２】
各接続導体３３は、第３方向Ｄ３において外部電極１３と対向しており、第３方向Ｄ３から見て外部電極１３と重なる位置に配置されている。各接続導体３３は、第３方向Ｄ３において内部電極２１と対向しており、第３方向Ｄ３から見て内部電極２１と重なる位置に配置されている。複数のビア導体４３は、それぞれ、外部電極１３と内部電極２１と複数の接続導体３３との間に位置しており、第３方向Ｄ３から見て外部電極１３と重なる位置に配置されている。複数のビア導体４３は、それぞれ、第３方向Ｄ３において、対応する圧電体層１７ａ，１７ｂ，１７ｃを貫通している。
【００３３】
外部電極１４は、内部電極２３と複数の接続導体３４とに複数のビア導体４４を通して電気的に接続されている。複数の接続導体３４は、それぞれ、内部電極２１，２２と同じ層に位置している。具体的には、各接続導体３４は、各内部電極２１，２２に形成された開口内に位置している。各開口は、第３方向Ｄ３から見て、外部電極１４に対応する位置に形成されている。すなわち、各接続導体３４は、第３方向Ｄ３から見て、各内部電極２１，２２に囲まれている。各接続導体３４は、各内部電極２１，２２から離間している。内部電極２２と同じ層に位置している接続導体３３と接続導体３４は、同じ開口内に隣り合って配置され、互いに離間している。
【００３４】
各接続導体３４は、第３方向Ｄ３において外部電極１４と対向しており、第３方向Ｄ３から見て外部電極１４と重なる位置に配置されている。各接続導体３４は、第３方向Ｄ３において内部電極２３と対向しており、第３方向Ｄ３から見て内部電極２３と重なる位置に配置されている。複数のビア導体４４は、それぞれ、外部電極１４と内部電極２３と複数の接続導体３４との間に位置しており、第３方向Ｄ３から見て外部電極１４と重なる位置に配置されている。複数のビア導体４４は、それぞれ、第３方向Ｄ３において、対応する圧電体層１７ａ，１７ｂ，１７ｃを貫通している。
【００３５】
外部電極１５は、内部電極２２と複数の接続導体３５とに複数のビア導体４５を通して電気的に接続されている。複数の接続導体３５は、それぞれ、内部電極２１，２３と同じ層に位置している。具体的には、各接続導体３５は、各内部電極２１，２３に形成された開口内に位置している。各開口は、第３方向Ｄ３から見て、外部電極１５に対応する位置に形成されている。すなわち、各接続導体３５の全縁は、第３方向Ｄ３から見て、各内部電極２１，２３に囲まれている。各開口は、第３方向Ｄ３から見て、外部電極１５に対応する位置に形成されている。
【００３６】
各接続導体３５は、第３方向Ｄ３において外部電極１５と対向しており、第３方向Ｄ３から見て外部電極１５と重なる位置に配置されている。各接続導体３５は、第３方向Ｄ３において内部電極２２と対向しており、第３方向Ｄ３から見て内部電極２２と重なる位置に配置されている。複数のビア導体４５は、それぞれ、外部電極１５と内部電極２２と複数の接続導体３５との間に位置しており、第３方向Ｄ３から見て外部電極１５と重なる位置に配置されている。複数のビア導体４５は、それぞれ、第３方向Ｄ３において、対応する圧電体層１７ａ，１７ｂ，１７ｃを貫通している。
【００３７】
各接続導体３３，３４は、第３方向Ｄ３から見て、長方形状を呈している。本実施形態では、長方形状の各角が丸められている。各接続導体３５は、第３方向Ｄ３から見て、正方形状を呈している。本実施形態では、正方形状の各角が丸められている。
【００３８】
接続導体３３，３４，３５及びビア導体４３，４４，４５は、導電性材料からなる。導電性材料には、たとえば、Ａｇ、Ｐｄ、Ｐｔ、又はＡｇ−Ｐｄ合金が用いられる。接続導体３３，３４，３５及びビア導体４３，４４，４５は、たとえば、上記導電性材料を含む導電性ペーストの焼結体として構成されている。ビア導体４３，４４，４５は、対応する圧電体層１７ａ，１７ｂ，１７ｃを形成するためのセラミックグリーンシートに形成された貫通孔に充填された導電性ペーストが焼結することにより形成される。
【００３９】
圧電素体１１の主面１１ｂには、内部電極２１，２２，２３と電気的に接続されている導体は、配置されていない。本実施形態では、主面１１ｂを第３方向Ｄ３から見たとき、主面１１ｂの全体が露出している。主面１１ａ，１１ｂは、自然面である。自然面とは、焼成により成長した結晶粒の表面により構成される面である。
【００４０】
圧電素体１１の各側面１１ｃにも、内部電極２１，２２，２３と電気的に接続されている導体は、配置されていない。本実施形態では、各側面１１ｃを第３方向Ｄ３に交差する方向から見たとき、各側面１１ｃの全体が露出している。本実施形態では、各側面１１ｃも、自然面である。
【００４１】
圧電体層１７ｂにおいて、外部電極１３に接続されている内部電極２１と外部電極１５に接続されている内部電極２２とに挟まれている領域は、圧電的に活性な第１活性領域１９を構成する。複数の圧電体層１７ｃにおいて、外部電極１４に接続されている内部電極２３と外部電極１５に接続されている内部電極２２とに挟まれている領域は、圧電的に活性な第２活性領域２０を構成する。第１活性領域１９と第２活性領域２０は、主面１１ａと主面１１ｂとの間に配置されている。第２活性領域２０は、第１活性領域１９よりも主面１１ｂ側に配置されている。第１活性領域１９及び第２活性領域２０は、複数の圧電体層によって構成されてもよい。
【００４２】
本実施形態では、第１活性領域１９及び第２活性領域２０は、第３方向Ｄ３から見て、複数の外部電極１３，１４，１５を囲むように位置している。第１活性領域１９及び第２活性領域２０は、第３方向Ｄ３から見て外部電極１４と外部電極１５との間に位置している領域、及び、第３方向Ｄ３から見て外部電極１３，１４，１５が位置している領域の外側の領域を含んでいる。
【００４３】
第１活性領域１９及び第２活性領域２０は、例えば、外部電極１５をグラウンドに接続した状態で、外部電極１３及び外部電極１４に互いに極性が異なる電圧を印加することにより、互いに同じ向きに分極されている。第１活性領域１９は、例えば内部電極２１から内部電極２２に向かう方向に分極され、第２活性領域２０は、例えば内部電極２２から内部電極２３に向かう方向に分極されている。圧電振動子Ｐ１の駆動時には、例えば、外部電極１３，１４には互いに極性が同じ電圧が印加され、外部電極１５には外部電極１３，１４とは互いに極性が異なる電圧が印加される。これにより、第１活性領域１９及び第２活性領域２０のうちの一方には、分極方向と同じ向き（順方向）の電圧が印加されて伸長し、他方には分極方向と逆向き（逆方向）の電圧が印加されて収縮する。この結果、圧電振動子Ｐ１が屈曲振動する。
【００４４】
図１及び図２に示される圧電振動子Ｐ２は、例えばバイモルフ型の圧電素子である。図示を省略するが、圧電振動子Ｐ２は、圧電振動子Ｐ１と同様に、図３及び図４に示されるような圧電素体１１、外部電極１３，１４，１５、内部電極２１，２２，２３、接続導体３３，３４，３５、及びビア導体４３，４４，４５を備えている。圧電振動子Ｐ２は、主に、第３方向Ｄ３から見た圧電素体１１及び内部電極２１，２２，２３の形状の点で、圧電振動子Ｐ１と相違している。圧電振動子Ｐ２の圧電素体１１の長さ及び幅は、圧電振動子Ｐ１の圧電素体１１の長さ及び幅よりも大きい。
【００４５】
圧電振動子Ｐ２の圧電素体１１の長さ（主面１１ａの長辺方向での圧電素体１１の長さ）は、例えば、６６ｍｍである。圧電振動子Ｐ２の圧電素体１１の幅（主面１１ａの短辺方向での圧電素体１１の長さ）は、例えば、３０ｍｍである。圧電振動子Ｐ２の圧電素体１１の厚さは、圧電振動子Ｐ１の圧電素体１１の厚さと同等である。すなわち、圧電振動子Ｐ２の圧電素体１１の厚さ（第３方向Ｄ３での圧電素体１１の長さ）は、例えば、０．７ｍｍである。圧電振動子Ｐ２の内部電極２１，２２，２３は、圧電振動子Ｐ２の圧電素体１１の形状に対応する形状を有している。外部電極１３，１４，１５、接続導体３３，３４，３５、及びビア導体４３，４４，４５の形状、及びこれらの相対的な位置関係は、圧電振動子Ｐ２と圧電振動子Ｐ１とで同等である。
【００４６】
第３方向Ｄ３から見て、圧電振動子Ｐ１の最大長さＬ１は、圧電振動子Ｐ２の最大長さＬ２よりも短い。本実施形態では、圧電振動子Ｐ１の各主面１１ａ，１１ｂは長方形状であるため、最大長さＬ１は、圧電振動子Ｐ１の各主面１１ａ，１１ｂの対角線の長さであり、例えば３４ｍｍである。圧電振動子Ｐ２の各主面１１ａ，１１ｂも長方形状であるため、最大長さＬ２は、圧電振動子Ｐ２の各主面１１ａ，１１ｂの対角線の長さであり、例えば７３ｍｍである。
【００４７】
一対の圧電振動子Ｐ１及び一対の圧電振動子Ｐ２は、振動部材３に設けられている。各圧電振動子Ｐ１及び各圧電振動子Ｐ２は、例えば、主面１１ｂが接合部材（不図示）により主面３ａに接合されることで、振動部材３に固定されている。一対の圧電振動子Ｐ１及び一対の圧電振動子Ｐ２は、互いに離間して配置されている。
【００４８】
一対の圧電振動子Ｐ１は、第３方向Ｄ３から見て、主面３ａの重心Ｇを通り、第２方向Ｄ２に平行な直線Ｍの左側領域と右側領域とにそれぞれ設けられている。一対の圧電振動子Ｐ１は、第３方向Ｄ３から見て、直線Ｍに対して線対称となるように配置されている。各圧電振動子Ｐ１は、主面１１ａの長辺方向が第１方向Ｄ１と一致し、主面１１ａの短辺方向が第２方向Ｄ２と一致するように配置されている。第３方向Ｄ３から見て、一対の圧電振動子Ｐ１は、第１方向Ｄ１において互いに離間して配置されている。各圧電振動子Ｐ１の少なくとも一部は、各短辺部分３ｄに配置されている。具体的には、主面１１ａの長辺方向における各圧電振動子Ｐ１の一端部は、各短辺部分３ｄに配置されている。各圧電振動子Ｐ１は、一対の長辺部分３ｃから離間して配置されている。
【００４９】
一対の圧電振動子Ｐ２は、第３方向Ｄ３から見て、直線Ｍの左側領域と右側領域とにそれぞれ設けられている。一対の圧電振動子Ｐ２は、第３方向Ｄ３から見て、直線Ｍに対して線対称となるように配置されている。各圧電振動子Ｐ２は、主面１１ａの長辺方向が第２方向Ｄ２と一致し、主面１１ａの短辺方向が第１方向Ｄ１と一致するように配置されている。第３方向Ｄ３から見て、一対の圧電振動子Ｐ２は、第１方向Ｄ１において互いに離間して配置されている。各圧電振動子Ｐ２の少なくとも一部は、一方の長辺部分３ｃに配置されている。具体的には、主面１１ａの長辺方向における各圧電振動子Ｐ２の一端部は、一方の長辺部分３ｃに配置されている。各圧電振動子Ｐ２は、他方の長辺部分３ｃ及び一対の短辺部分３ｄから離間して配置されている。
【００５０】
第３方向Ｄ３から見て、各圧電振動子Ｐ２は各圧電振動子Ｐ１よりも直線Ｍの近くに配置されている。第３方向Ｄ３から見て、各圧電振動子Ｐ２は各圧電振動子Ｐ１よりも重心Ｇの近くに配置されている。第３方向Ｄ３から見て、圧電振動子Ｐ１と圧電振動子Ｐ２との間の距離（最短距離）は、圧電振動子Ｐ２の最大長さＬ２よりも短い。
【００５１】
各圧電振動子Ｐ１及び各圧電振動子Ｐ２には、配線部材４が接続されている。配線部材４は、例えばフレキシブルプリント基板（ＦＰＣ）又はフレキシブルフラットケーブル（ＦＦＣ）である。配線部材４の一端部は、外部電極１３，１４，１５上に配置され、外部電極１３，１４，１５に接続されている。配線部材４は、例えば、外部電極１３，１４に接続されている第１導体層（不図示）と、外部電極１５に接続されている第２導体層（不図示）と、を有している。外部電極１３，１４は、第１導体層によって短絡されている。
【００５２】
配線部材４は、拘束部材２側に引き出されている。配線部材４の他端部は、音響装置１Ａを制御する制御回路（不図示）に接続されている。制御回路は、例えば、ＣＰＵ（Central  Processing  Unit）、ＲＯＭ（Read  Only  Memory）、及びＲＡＭ（Random  Access  Memory）を備えている。この場合、制御回路は、ＲＯＭに記憶されているプログラムをＲＡＭにロードし、ＣＰＵで実行することによって各種の処理を行う。制御回路は、圧電振動子Ｐ１及び圧電振動子Ｐ２に同じ駆動信号を入力する。すなわち、圧電振動子Ｐ１及び圧電振動子Ｐ２は、同じ駆動信号によって同期して駆動される。
【００５３】
以上説明したように、音響装置１Ａでは、圧電振動子Ｐ１の固有振動数は、圧電振動子Ｐ２の固有振動数よりも大きい。このため、圧電振動子Ｐ１は、圧電振動子Ｐ２に比べて高音域（高周波域）で音質（音圧）を向上させることができ、圧電振動子Ｐ２は、圧電振動子Ｐ１に比べて低音域（低周波域）で音質を向上させることができる。よって、音響装置１Ａは、小型化を図りつつ、広い音域（周波数域）で音質を向上させることができる。つまり、音響装置１Ａは、小型化を図りつつ、全音域（全周波数域）で音質を均一化することができる。
【００５４】
第３方向Ｄ３から見て、圧電振動子Ｐ１の最大長さＬ１は、圧電振動子Ｐ２の最大長さＬ２よりも短い。したがって、圧電振動子Ｐ１の固有振動数が圧電振動子Ｐ２の固有振動数よりも大きくなる構成を容易に実現できる。
【００５５】
広い音域で音質を向上させるために、圧電振動子Ｐ１及び圧電振動子Ｐ２を異なる駆動信号によって駆動することも考えられるが、その場合、制御回路の構成が複雑化する。音響装置１Ａでは、圧電振動子Ｐ１及び圧電振動子Ｐ２は、同じ駆動信号によって同期して駆動されるので、制御回路の構成が複雑化することを抑制しながら、広い音域で音質を向上させることができる。
【００５６】
第３方向Ｄ３から見て、圧電振動子Ｐ１と圧電振動子Ｐ２との間の距離（最短距離）は、圧電振動子Ｐ２の最大長さＬ２よりも短い。このように、圧電振動子Ｐ１と圧電振動子Ｐ２とが互いに近くに配置されているので、位相差が生じにくい。これにより、圧電振動子Ｐ１の音と、圧電振動子Ｐ２の音とのつながりがよくなる。
【００５７】
（第２実施形態）
図５は、第２実施形態に係る音響装置を示す平面図である。図１及び図５に示されるように、第２実施形態に係る音響装置１Ｂは、圧電振動子Ｐ２の配置が異なる点で、音響装置１Ａと相違し、その他の点で音響装置１Ａと一致している。つまり、音響装置１Ｂも、固有振動数の異なる圧電振動子Ｐ１及び圧電振動子Ｐ２を備えるので、小型化を図りつつ、広い音域で音質を向上させることができる。
【００５８】
各圧電振動子Ｐ２は、重心Ｇを通り、第１方向Ｄ１に平行な直線よりも一方の長辺部分３ｃ側に配置されている。各圧電振動子Ｐ２では、主面１１ａの長辺方向が第１方向Ｄ１と一致しておらず、主面１１ａの長辺方向における圧電振動子Ｐ２の両端部のうち、拘束部材２からの距離（最短距離）が遠い端部が、拘束部材２からの距離（最短距離）が近い端部よりも直線Ｍに近づくように、主面１１ａの長辺方向が第１方向Ｄ１に対して傾いている。これにより、拘束部材２からの拘束力の影響を受けにくく、重心Ｇ近傍への振動を効率的に伝えることができるので、音響装置１Ｂでは、圧電振動子Ｐ２が低音域で更に音質を向上させることができる。
【００５９】
（第３実施形態）
図６は、第３実施形態に係る音響装置を示す平面図である。図１及び図６に示されるように、第３実施形態に係る音響装置１Ｃは、主に一対の圧電振動子Ｐ３を備える点で音響装置１Ａと相違している。圧電振動子Ｐ３の固有振動数は、圧電振動子Ｐ２の固有振動数よりも大きく、圧電振動子Ｐ１の固有振動数よりも小さい。
【００６０】
圧電振動子Ｐ３は、例えばバイモルフ型の圧電素子である。図示を省略するが、圧電振動子Ｐ３は、圧電振動子Ｐ１と同様に、図３及び図４に示されるような圧電素体１１、外部電極１３，１４，１５、内部電極２１，２２，２３、接続導体３３，３４，３５、及びビア導体４３，４４，４５を備えている。圧電振動子Ｐ３は、主に、第３方向Ｄ３から見た圧電素体１１及び内部電極２１，２２，２３の形状の点で、圧電振動子Ｐ１と相違している。圧電振動子Ｐ３の圧電素体１１の各主面１１ａ，１１ｂは、正方形状を呈している。圧電振動子Ｐ３の各主面１１ａ，１１ｂの一辺の長さは、例えば、３０ｍｍである。圧電振動子Ｐ３の圧電素体１１の厚さ（第３方向Ｄ３での圧電素体１１の長さ）は、例えば、０．５ｍｍである。
【００６１】
圧電振動子Ｐ３の内部電極２１，２２，２３は、圧電振動子Ｐ３の圧電素体１１の形状に対応する形状を有している。圧電振動子Ｐ３の外部電極１３，１４，１５は、主面１１ａの一辺側において、当該一辺に沿って並んでいる。外部電極１３，１４，１５、接続導体３３，３４，３５、及びビア導体４３，４４，４５の形状、及びこれらの相対的な位置関係は、圧電振動子Ｐ３と圧電振動子Ｐ１とで同等である。
【００６２】
第３方向Ｄ３から見て、圧電振動子Ｐ３の最大長さＬ３は、圧電振動子Ｐ１の最大長さＬ１よりも長く、圧電振動子Ｐ２の最大長さＬ２よりも短い。本実施形態では、圧電振動子Ｐ３の各主面１１ａ，１１ｂは正方形状であるため、最大長さＬ３は、圧電振動子Ｐ３の各主面１１ａ，１１ｂの対角線の長さであり、例えば４２ｍｍである。
【００６３】
一対の圧電振動子Ｐ３は、第３方向Ｄ３から見て、直線Ｍの左側領域と右側領域とにそれぞれ設けられている。一対の圧電振動子Ｐ３は、第３方向Ｄ３から見て、直線Ｍに対して線対称となるように配置されている。各圧電振動子Ｐ３は、主面１１ａの互いに隣り合う一対の辺のうち、一辺が第１方向Ｄ１と平行をなし、もう一辺が第２方向Ｄ２と一致するように配置されている。第３方向Ｄ３から見て、一対の圧電振動子Ｐ１は、第１方向Ｄ１において互いに離間して配置されている。各圧電振動子Ｐ１の少なくとも一部は、一方の長辺部分３ｃに配置されている。具体的には、主面１１ａの第２方向Ｄ２の一端部は、一方の長辺部分３ｃに配置されている。各圧電振動子Ｐ３は、他方の長辺部分３ｃ及び一対の短辺部分３ｄから離間して配置されている。
【００６４】
第３方向Ｄ３から見て、各圧電振動子Ｐ３は、各圧電振動子Ｐ２よりも直線Ｍから離間して配置されている。第３方向Ｄ３から見て、各圧電振動子Ｐ３と直線Ｍとの間の距離（最短距離）は、各圧電振動子Ｐ２と直線Ｍとの間の距離（最短距離）よりも長い。圧電振動子Ｐ３には、圧電振動子Ｐ１及び圧電振動子Ｐ２と同様に配線部材４が接続されている。配線部材４は、拘束部材２側に引き出されている。圧電振動子Ｐ３は、圧電振動子Ｐ１及び圧電振動子Ｐ２と同じ駆動信号によって同期して駆動される。
【００６５】
音響装置１Ｃは、圧電振動子Ｐ１の固有振動数よりも小さく、圧電振動子Ｐ２の固有振動数よりも大きい固有振動数を有する圧電振動子Ｐ３を更に備えている。このため、圧電振動子Ｐ３は、高音域と低音域の中間の音域で音質を向上させることができる。これにより、小型化を図りつつ、更に広い音域で音質を向上させることができる。
【００６６】
（第４実施形態）
図７は、第４実施形態に係る音響装置を示す平面図である。図６及び図７に示されるように、第４実施形態に係る音響装置１Ｄは、圧電振動子Ｐ２の数及び配置が異なる点で、音響装置１Ｃと相違し、その他の点で音響装置１Ｃと一致している。つまり、音響装置１Ｄも、固有振動数の異なる圧電振動子Ｐ１、圧電振動子Ｐ２及び圧電振動子Ｐ３を備えるので、小型化を図りつつ、更に広い音域で音質を向上させることができる。
【００６７】
音響装置１Ｄは、単一の圧電振動子Ｐ２を備えている。圧電振動子Ｐ２は、第３方向Ｄ３から見て、圧電振動子Ｐ２の主面１１ａの重心が直線Ｍと重なるように配置されている。つまり、第３方向Ｄ３から見て、圧電振動子Ｐ２は直線Ｍによって、主面１１ａの短辺方向に二等分され、直線Ｍの左側領域と右側領域とに半分ずつ配置されている。
【００６８】
音響装置１Ｄでは、音響装置１Ｃに比べて、圧電振動子の数が少ないため、低音域における音質の向上が図り難い。しかしながら、低音域では直線Ｍの左側領域と右側領域との差が分かり難い。このため、音響装置１Ｄによれば、音質に重大な影響を与えずに、構成を簡単にすることができる。したがって、例えば、省スペース化を図ることもできる。
【００６９】
（第５実施形態）
図８は、第５実施形態に係る音響装置を示す平面図である。図１及び図８に示されるように、第５実施形態に係る音響装置１Ｅは、圧電振動子Ｐ１の配置が異なる点で、音響装置１Ａと相違し、その他の点で音響装置１Ａと一致している。つまり、音響装置１Ｅも、固有振動数の異なる圧電振動子Ｐ１及び圧電振動子Ｐ２を備えるので、小型化を図りつつ、広い音域で音質を向上させることができる。
【００７０】
音響装置１Ｅでは、各圧電振動子Ｐ１は、主面１１ａの長辺方向が第２方向Ｄ２と一致し、主面１１ａの短辺方向が第１方向Ｄ１と一致するように配置されている。更に、各圧電振動子Ｐ１は、長辺部分３ｃ及び短辺部分３ｄから離間して配置されている。第３方向Ｄ３から見て、圧電振動子Ｐ１と拘束部材２との間の距離（最短距離）は、圧電振動子Ｐ２と拘束部材２との間の距離（最短距離）よりも長い。
【００７１】
図９は、振動部材の変位について説明するための図である。図９では、圧電振動子Ｐ１を拘束部材２の近くに配置した場合の振動部材３の変位が実線で示され、圧電振動子Ｐ１を振動部材３の重心Ｇの近くに配置した場合の振動部材３の変位が破線で示されている。いずれの場合も、圧電振動子Ｐ１に印加された駆動信号（電圧）の大きさは同じである。したがって、圧電振動子Ｐ１の変位は同じであるにもかかわらず、圧電振動子Ｐ１の位置によって振動部材３の変位に差が生じる。圧電振動子Ｐ１が拘束部材２に近いほど、圧電振動子Ｐ１の一端が固定され易い。その結果、低音域で変位が増大し、高音域で追従性が悪化する。反対に、圧電振動子Ｐ１が重心Ｇに近いほど低音域で変位が減少し、高音域で追従性が向上する。なお、図９では、圧電振動子Ｐ１は主面３ｂ（図２参照）に配置されている場合が示されているが、圧電振動子Ｐ１が主面３ａ（図２参照）に配置されている場合でも、圧電振動子Ｐ１の位置によって振動部材３の変位に同様の差が生じる。
【００７２】
上述のように、音響装置１Ｅでは、各圧電振動子Ｐ１は、長辺部分３ｃ及び短辺部分３ｄから離間して配置され、第３方向Ｄ３から見て、圧電振動子Ｐ１と拘束部材２との間の距離（最短距離）は、圧電振動子Ｐ２と拘束部材２との間の距離（最短距離）よりも長い。圧電振動子Ｐ１は、拘束部材２までの距離が比較的長いので、高音域で音質を更に向上させることができる。圧電振動子Ｐ２は、拘束部材２までの距離が比較的短いので、低音域で音質を更に向上させることができる。よって、広い音域で音質を更に向上させることができる。
【００７３】
（第６実施形態）
図１０は、第６実施形態に係る音響装置を示す平面図である。図１及び図１０に示されるように、第６実施形態に係る音響装置１Ｆは、圧電振動子Ｐ１及び圧電振動子Ｐ２の配置が異なる点で、音響装置１Ａと相違し、その他の点で音響装置１Ａと一致している。つまり、音響装置１Ｆも、固有振動数の異なる圧電振動子Ｐ１及び圧電振動子Ｐ２を備えるので、小型化を図りつつ、広い音域で音質を向上させることができる。
【００７４】
音響装置１Ｆでは、各圧電振動子Ｐ１は、短辺部分３ｄから離間し、各圧電振動子Ｐ２は長辺部分３ｃから離間している。図９で説明したように、圧電振動子Ｐ１が重心Ｇに近いほど低音域で変位が減少し、高音域で追従性が向上する。同様に、圧電振動子Ｐ２が重心Ｇに近いほど低音域で変位が減少し、高音域で追従性が向上する。したがって、音響装置１Ｆによれば、音響装置１Ｅよりも高音域で音質を一層向上させることができる。
【００７５】
（第７実施形態）
図１１は、第７実施形態に係る音響装置を示す平面図である。図１及び図１０に示されるように、第７実施形態に係る音響装置１Ｇは、一対の圧電振動子Ｐ１の代わりに一対の圧電振動子Ｐ４を備える点と、圧電振動子Ｐ２の数及び配置が異なる点とで、音響装置１Ａと相違し、その他の点で音響装置１Ａと一致している。圧電振動子Ｐ４の固有振動数は、圧電振動子Ｐ１の固有振動数よりも大きい。
【００７６】
圧電振動子Ｐ４は、例えばバイモルフ型の圧電素子である。図示を省略するが、圧電振動子Ｐ４は、圧電振動子Ｐ１と同様に、図３及び図４に示されるような圧電素体１１、外部電極１３，１４，１５、内部電極２１，２２，２３、接続導体３３，３４，３５、及びビア導体４３，４４，４５を備えている。圧電振動子Ｐ４は、主に、第３方向Ｄ３から見た圧電素体１１及び内部電極２１，２２，２３の形状の点で、圧電振動子Ｐ１と相違している。圧電振動子Ｐ４の圧電素体１１の各主面１１ａ，１１ｂは、楕円形状を呈している。圧電振動子Ｐ４の各主面１１ａ，１１ｂの長軸の長さは、例えば、３０ｍｍであり、短軸の長さは、例えば、１５ｍｍである。圧電振動子Ｐ４の圧電素体１１の厚さは、圧電振動子Ｐ１の圧電素体１１の厚さと同等である。すなわち、圧電振動子Ｐ４の圧電素体１１の厚さ（第３方向Ｄ３での圧電素体１１の長さ）は、例えば、０．７ｍｍである。
【００７７】
圧電振動子Ｐ４の内部電極２１，２２，２３は、圧電振動子Ｐ４の圧電素体１１の形状に対応する形状を有している。圧電振動子Ｐ４の外部電極１３，１４，１５は、主面１１ａの短軸方向の一端部側に配置され、主面１１ａの長軸方向に沿って並んでいる。外部電極１３，１４，１５、接続導体３３，３４，３５、及びビア導体４３，４４，４５の形状、及びこれらの相対的な位置関係は、圧電振動子Ｐ４と圧電振動子Ｐ１とで同等である。
【００７８】
第３方向Ｄ３から見て、圧電振動子Ｐ４の最大長さＬ４は、圧電振動子Ｐ１の最大長さＬ１よりも短い。本実施形態では、圧電振動子Ｐ４の各主面１１ａ，１１ｂは楕円形状であるため、最大長さＬ４は、圧電振動子Ｐ４の各主面１１ａ，１１ｂの長軸の長さである。
【００７９】
一対の圧電振動子Ｐ４は、第３方向Ｄ３から見て、直線Ｍの左側領域と右側領域とにそれぞれ設けられている。一対の圧電振動子Ｐ４は、第３方向Ｄ３から見て、直線Ｍに対して線対称となるように配置されている。各圧電振動子Ｐ４は、主面１１ａの長軸方向が第１方向Ｄ１と一致し、主面１１ａの短軸方向が第２方向Ｄ２と一致するように配置されている。第３方向Ｄ３から見て、一対の圧電振動子Ｐ４は、第１方向Ｄ１において互いに離間して配置されている。各圧電振動子Ｐ４の少なくとも一部は、短辺部分３ｄに配置されている。具体的には、主面１１ａの長軸方向の一端部は、短辺部分３ｄに配置されている。各圧電振動子Ｐ４は、一対の長辺部分３ｃから離間して配置されている。
【００８０】
第３方向Ｄ３から見て、各圧電振動子Ｐ４は、圧電振動子Ｐ２よりも直線Ｍから離間して配置されている。圧電振動子Ｐ４には、圧電振動子Ｐ２と同様に配線部材４が接続されている。圧電振動子Ｐ４は、圧電振動子Ｐ２と同じ駆動信号によって同期して駆動される。
【００８１】
音響装置１Ｇは、単一の圧電振動子Ｐ２を備えている。圧電振動子Ｐ２は、第３方向Ｄ３から見て、圧電振動子Ｐ２の主面１１ａの重心が直線Ｍと重なるように配置されている。つまり、第３方向Ｄ３から見て、圧電振動子Ｐ２は直線Ｍによって、主面１１ａの短辺方向に二等分され、第３方向Ｄ３から見て、直線Ｍの左側領域と右側領域とに半分ずつ配置されている。
【００８２】
音響装置１Ｇも、固有振動数の異なる圧電振動子Ｐ１及び圧電振動子Ｐ４を備えるので、小型化を図りつつ、広い音域で音質を向上させることができる。また、音響装置１Ｇでは、音響装置１Ａに比べて、圧電振動子Ｐ２の数が少ないため、低音域における音質の向上が図り難い。しかしながら、低音域では直線Ｍの左側領域と右側領域との差が分かり難い。このため、音響装置１Ｇによれば、音質に重大な影響を与えずに、構成を簡単にすることができる。したがって、例えば、省スペース化を図ることもできる。
【００８３】
（第８実施形態）
図１２は、第８実施形態に係る音響装置を示す平面図である。図１及び図１２に示されるように、第８実施形態に係る音響装置１Ｈは、一対の圧電振動子Ｐ２の代わりに一対の圧電振動子Ｐ３を備える点で、音響装置１Ａと相違し、その他の点で音響装置１Ａと一致している。つまり、音響装置１Ｈも、固有振動数の異なる圧電振動子Ｐ１及び圧電振動子Ｐ３を備えるので、小型化を図りつつ、広い音域で音質を向上させることができる。
【００８４】
一対の圧電振動子Ｐ３は、第３方向Ｄ３から見て、直線Ｍの左側領域と右側領域とにそれぞれ設けられている。一対の圧電振動子Ｐ３は、第３方向Ｄ３から見て、直線Ｍに対して線対称となるように配置されている。各圧電振動子Ｐ３は、主面１１ａの互いに隣り合う一対の辺のうち、一辺が第１方向Ｄ１と平行をなし、もう一辺が第２方向Ｄ２と一致するように配置されている。第３方向Ｄ３から見て、一対の圧電振動子Ｐ１は、第１方向Ｄ１において互いに離間して配置されている。各圧電振動子Ｐ１の少なくとも一部は、一方の長辺部分３ｃに配置されている。具体的には、主面１１ａの第２方向Ｄ２の一端部は、一方の長辺部分３ｃに配置されている。各圧電振動子Ｐ３は、他方の長辺部分３ｃ及び一対の短辺部分３ｄから離間して配置されている。
【００８５】
第３方向Ｄ３から見て、各圧電振動子Ｐ３は、各圧電振動子Ｐ１よりも直線Ｍの近くに配置されている。第３方向Ｄ３から見て、各圧電振動子Ｐ３と直線Ｍとの間の距離（最短距離）は、各圧電振動子Ｐ１と直線Ｍとの間の距離（最短距離）よりも短い。圧電振動子Ｐ３には、配線部材４が接続されている。配線部材４は、拘束部材２側に引き出されている。圧電振動子Ｐ３は、圧電振動子Ｐ１と同じ駆動信号によって同期して駆動される。
【００８６】
音響装置１Ｈは、圧電振動子Ｐ２の固有振動数よりも大きい固有振動数を有する圧電振動子Ｐ３を備えている。このため、音響装置１Ｈは、音響装置１Ａよりも高音域の音質を向上させることができる。
【００８７】
音響装置１Ｈでは、第３方向Ｄ３から見て、圧電振動子Ｐ１と圧電振動子Ｐ３との間の距離（最短距離）は、圧電振動子Ｐ３の最大長さＬ３よりも長い。このように、圧電振動子Ｐ１と圧電振動子Ｐ３とが互いに近くには配置されていないので、圧電振動子Ｐ１の音と圧電振動子Ｐ３の音とをそれぞれ独立した音とすることができる。
【００８８】
（第９実施形態）
図１３は、第９実施形態に係る音響装置を示す平面図である。図１２及び図１３に示されるように、第９実施形態に係る音響装置１Ｉは、一対の圧電振動子Ｐ３の代わりに一対の圧電振動子Ｐ５を備える点と、圧電振動子Ｐ１の配置が異なる点とで、音響装置１Ｈと相違し、その他の点で音響装置１Ｈと一致している。圧電振動子Ｐ５の固有振動数は、圧電振動子Ｐ３及び圧電振動子Ｐ１の固有振動数よりも大きい。
【００８９】
圧電振動子Ｐ５は、例えばバイモルフ型の圧電素子である。図示を省略するが、圧電振動子Ｐ５は、圧電振動子Ｐ１と同様に、図３及び図４に示されるような圧電素体１１、外部電極１３，１４，１５、内部電極２１，２２，２３、接続導体３３，３４，３５、及びビア導体４３，４４，４５を備えている。圧電振動子Ｐ５は、主に、第３方向Ｄ３から見た圧電素体１１及び内部電極２１，２２，２３の形状の点で、圧電振動子Ｐ１と相違している。圧電振動子Ｐ５の圧電素体１１の各主面１１ａ，１１ｂは、円形状を呈している。圧電振動子Ｐ５の各主面１１ａ，１１ｂの直径は、例えば、３０ｍｍである。圧電振動子Ｐ５の圧電素体１１の厚さは、圧電振動子Ｐ１の圧電素体１１の厚さと同等である。すなわち、圧電振動子Ｐ５の圧電素体１１の厚さ（第３方向Ｄ３での圧電素体１１の長さ）は、例えば、０．７ｍｍである。
【００９０】
圧電振動子Ｐ５の内部電極２１，２２，２３は、圧電振動子Ｐ５の圧電素体１１の形状に対応する形状を有している。圧電振動子Ｐ５の外部電極１３，１４，１５は、主面１１ａの中心からずれて配置されている。外部電極１３，１４，１５、接続導体３３，３４，３５、及びビア導体４３，４４，４５の形状、及びこれらの相対的な位置関係は、圧電振動子Ｐ５と圧電振動子Ｐ１とで同等である。
【００９１】
第３方向Ｄ３から見て、圧電振動子Ｐ５の最大長さＬ５は、圧電振動子Ｐ１の最大長さＬ１よりも長く、圧電振動子Ｐ２の最大長さＬ２よりも短い。本実施形態では、圧電振動子Ｐ５の各主面１１ａ，１１ｂは円形状であるため、最大長さＬ５は、圧電振動子Ｐ５の各主面１１ａ，１１ｂの直径である。
【００９２】
一対の圧電振動子Ｐ５は、第３方向Ｄ３から見て、直線Ｍの左側領域と右側領域とにそれぞれ設けられている。一対の圧電振動子Ｐ５は、第３方向Ｄ３から見て、直線Ｍに対して線対称となるように配置されている。第３方向Ｄ３から見て、一対の圧電振動子Ｐ５は、第１方向Ｄ１において互いに離間して配置されている。各圧電振動子Ｐ５は，一方の長辺部分３ｃ及び一対の短辺部分３ｄから離間して配置されている。
【００９３】
第３方向Ｄ３から見て、各圧電振動子Ｐ５は、各圧電振動子Ｐ１よりも直線Ｍの近くに配置されている。第３方向Ｄ３から見て、各圧電振動子Ｐ５と直線Ｍとの間の距離（最短距離）は、各圧電振動子Ｐ１と直線Ｍとの間の距離（最短距離）よりも短い。圧電振動子Ｐ５には、圧電振動子Ｐ１と同様に配線部材４が接続されている。圧電振動子Ｐ５は、圧電振動子Ｐ１と同じ駆動信号によって同期して駆動される。第３方向Ｄ３から見て、各圧電振動子Ｐ１は、主面３ａの角部、すなわち長辺部分３ｃと短辺部分３ｄとの交点に配置されている。
【００９４】
音響装置１Ｉも、固有振動数の異なる圧電振動子Ｐ１及び圧電振動子Ｐ５を備えるので、小型化を図りつつ、広い音域で音質を向上させることができる。音響装置１Ｉによれば、音響装置１Ｈよりも高音域で音質を向上させることができる。
【００９５】
（第１０実施形態）
図１４は、第１０実施形態に係る音響装置を示す平面図である。図１３及び図１４に示されるように、第１０実施形態に係る音響装置１Ｊは、一対の圧電振動子Ｐ１の代わりに一対の圧電振動子Ｐ６を備える点で、音響装置１Ｉと相違し、その他の点で音響装置１Ｉと一致している。圧電振動子Ｐ６の固有振動数は、圧電振動子Ｐ１及び圧電振動子Ｐ５の固有振動数よりも大きい。
【００９６】
圧電振動子Ｐ６は、例えばバイモルフ型の圧電素子である。図示を省略するが、圧電振動子Ｐ６は、圧電振動子Ｐ１と同様に、図３及び図４に示されるような圧電素体１１、外部電極１３，１４，１５、内部電極２１，２２，２３、接続導体３３，３４，３５、及びビア導体４３，４４，４５を備えている。圧電振動子Ｐ６は、主に、第３方向Ｄ３から見た圧電素体１１及び内部電極２１，２２，２３の形状の点で、圧電振動子Ｐ１と相違している。圧電振動子Ｐ６の圧電素体１１の各主面１１ａ，１１ｂは、円形状を呈している。圧電振動子Ｐ６の各主面１１ａ，１１ｂの直径は、例えば、２０ｍｍである。圧電振動子Ｐ６の各主面１１ａ，１１ｂと、圧電振動子Ｐ５の各主面１１ａ，１１ｂとは、相似である。圧電振動子Ｐ６の圧電素体１１の厚さ（第３方向Ｄ３での圧電素体１１の長さ）は、例えば、０．５ｍｍである。
【００９７】
圧電振動子Ｐ６の内部電極２１，２２，２３は、圧電振動子Ｐ６の圧電素体１１の形状に対応する形状を有している。圧電振動子Ｐ６の外部電極１３，１４，１５は、主面１１ａの中心からずれて配置されている。外部電極１３，１４，１５、接続導体３３，３４，３５、及びビア導体４３，４４，４５の形状、及びこれらの相対的な位置関係は、圧電振動子Ｐ６と圧電振動子Ｐ１とで同等である。
【００９８】
第３方向Ｄ３から見て、圧電振動子Ｐ６の最大長さＬ６は、圧電振動子Ｐ５の最大長さＬ５よりも短い。本実施形態では、圧電振動子Ｐ６の各主面１１ａ，１１ｂは円形状であるため、最大長さＬ６は、圧電振動子Ｐ６の各主面１１ａ，１１ｂの直径である。
【００９９】
一対の圧電振動子Ｐ６は、第３方向Ｄ３から見て、直線Ｍの左側領域と右側領域とにそれぞれ設けられている。一対の圧電振動子Ｐ６は、第３方向Ｄ３から見て、直線Ｍに対して線対称となるように配置されている。第３方向Ｄ３から見て、一対の圧電振動子Ｐ６は、第１方向Ｄ１において互いに離間して配置されている。第３方向Ｄ３から見て、各圧電振動子Ｐ６は、主面３ａの角部、すなわち一方の長辺部分３ｃと一対の短辺部分３ｄとの各交点に配置されている。
【０１００】
第３方向Ｄ３から見て、各圧電振動子Ｐ６は、各圧電振動子Ｐ５よりも直線Ｍから離間して配置されている。第３方向Ｄ３から見て、各圧電振動子Ｐ６と直線Ｍとの間の距離（最短距離）は、各圧電振動子Ｐ５と直線Ｍとの間の距離（最短距離）よりも長い。圧電振動子Ｐ６には、圧電振動子Ｐ５と同様に配線部材４が接続されている。圧電振動子Ｐ６は、圧電振動子Ｐ５と同じ駆動信号によって同期して駆動される。
【０１０１】
音響装置１Ｊも、固有振動数の異なる圧電振動子Ｐ５及び圧電振動子Ｐ６を備えるので、小型化を図りつつ、広い音域で音質を向上させることができる。音響装置１Ｊによれば、音響装置１Ｉよりも高音域で音質を向上させることができる。
【０１０２】
（第１１実施形態）
図１５は、第１１実施形態に係る音響装置を示す平面図である。図１２及び図１５に示されるように、第１１実施形態に係る音響装置１Ｋは、一対の圧電振動子Ｐ３の代わりに、一対の圧電振動子Ｐ７を備える点と、一対の圧電振動子Ｐ１の代わりに一対の圧電振動子Ｐ８を備える点とで、音響装置１Ｈと相違し、その他の点で音響装置１Ｈと一致している。圧電振動子Ｐ７の固有振動数は、圧電振動子Ｐ８の固有振動数よりも大きい。つまり、音響装置１Ｋも、固有振動数の異なる圧電振動子Ｐ７及び圧電振動子Ｐ８を備えるので、小型化を図りつつ、広い音域で音質を向上させることができる。圧電振動子Ｐ７の固有振動数は、圧電振動子Ｐ３の固有振動数よりも大きい。圧電振動子Ｐ８の固有振動数は、圧電振動子Ｐ１の固有振動数よりも大きい。
【０１０３】
圧電振動子Ｐ７，Ｐ８は、例えばバイモルフ型の圧電素子である。図示を省略するが、圧電振動子Ｐ７，Ｐ８は、圧電振動子Ｐ１と同様に、図３及び図４に示されるような圧電素体１１、外部電極１３，１４，１５、内部電極２１，２２，２３、接続導体３３，３４，３５、及びビア導体４３，４４，４５を備えている。圧電振動子Ｐ７，Ｐ８は、主に、第３方向Ｄ３から見た圧電素体１１及び内部電極２１，２２，２３の形状の点で、圧電振動子Ｐ１と相違している。圧電振動子Ｐ７，Ｐ８の圧電素体１１の各主面１１ａ，１１ｂは、楕円形状を呈している。
【０１０４】
圧電振動子Ｐ７の圧電素体１１の各主面１１ａ，１１ｂは、圧電振動子Ｐ８の圧電素体１１の各主面１１ａ，１１ｂと相似である。圧電振動子Ｐ８の圧電素体１１の各主面１１ａ，１１ｂは、圧電振動子Ｐ４（図１２参照）の圧電素体１１の各主面１１ａ，１１ｂと同形状である。圧電振動子Ｐ７の各主面１１ａ，１１ｂの長軸の長さは、例えば、２０ｍｍであり、短軸の長さは、例えば、１０ｍｍである。圧電振動子Ｐ８の各主面１１ａ，１１ｂの長軸の長さは、例えば、３０ｍｍであり、短軸の長さは、例えば、１５ｍｍである。圧電振動子Ｐ７，Ｐ８の圧電素体１１の厚さ（第３方向Ｄ３での圧電素体１１の長さ）は、例えば、０．５ｍｍである。
【０１０５】
圧電振動子Ｐ７，Ｐ８の内部電極２１，２２，２３は、圧電振動子Ｐ７，Ｐ８の圧電素体１１の形状に対応する形状を有している。圧電振動子Ｐ７の外部電極１３，１４，１５は、主面１１ａの短軸方向の一端部側に配置され、主面１１ａの長軸方向に沿って並んでいる。圧電振動子Ｐ８の外部電極１３，１４，１５は、主面１１ａの長軸方向の一端部側に配置され、主面１１ａの短軸方向に沿って並んでいる。外部電極１３，１４，１５、接続導体３３，３４，３５、及びビア導体４３，４４，４５の形状、及びこれらの相対的な位置関係は、圧電振動子Ｐ７，Ｐ８と圧電振動子Ｐ１とで同等である。
【０１０６】
第３方向Ｄ３から見て、圧電振動子Ｐ７の最大長さＬ７は、圧電振動子Ｐ８の最大長さＬ８よりも短い。本実施形態では、圧電振動子Ｐ７，Ｐ８の各主面１１ａ，１１ｂは楕円形状であるため、最大長さＬ７，Ｌ８は、圧電振動子Ｐ７，Ｐ８の各主面１１ａ，１１ｂの長軸の長さである。最大長さＬ８は、最大長さＬ４（図１２参照）と一致している。
【０１０７】
一対の圧電振動子Ｐ７は、第３方向Ｄ３から見て、直線Ｍの左側領域と右側領域とにそれぞれ設けられている。一対の圧電振動子Ｐ７は、第３方向Ｄ３から見て、直線Ｍに対して線対称となるように配置されている。各圧電振動子Ｐ７は、主面１１ａの長軸方向が第１方向Ｄ１と一致し、主面１１ａの短軸方向が第２方向Ｄ２と一致するように配置されている。第３方向Ｄ３から見て、一対の圧電振動子Ｐ７は、第１方向Ｄ１において互いに離間して配置されている。第３方向Ｄ３から見て、各圧電振動子Ｐ７は、主面３ａの角部、すなわち長辺部分３ｃと短辺部分３ｄとの交点に配置されている。
【０１０８】
一対の圧電振動子Ｐ８は、第３方向Ｄ３から見て、直線Ｍの左側領域と右側領域とにそれぞれ設けられている。一対の圧電振動子Ｐ８は、第３方向Ｄ３から見て、直線Ｍに対して線対称となるように配置されている。各圧電振動子Ｐ８は、主面１１ａの長軸方向が第１方向Ｄ１と一致し、主面１１ａの短軸方向が第２方向Ｄ２と一致するように配置されている。第３方向Ｄ３から見て、一対の圧電振動子Ｐ８は、第１方向Ｄ１において互いに離間して配置されている。各圧電振動子Ｐ８の少なくとも一部は、短辺部分３ｄに配置されている。具体的には、主面１１ａの長軸方向の一端部は、短辺部分３ｄに配置されている。各圧電振動子Ｐ８は、一対の長辺部分３ｃから離間して配置されている。
【０１０９】
第３方向Ｄ３から見て、各圧電振動子Ｐ７及び各圧電振動子Ｐ８は、各短辺部分３ｄに沿って並んで配置されている。圧電振動子Ｐ７，Ｐ８には、配線部材４が接続されている。圧電振動子Ｐ７，Ｐ８は、同じ駆動信号によって同期して駆動される。
【０１１０】
上述のように、音響装置１Ｋは、圧電振動子Ｐ１の固有振動数よりも大きい固有振動数を有する圧電振動子Ｐ８と、圧電振動子Ｐ３の固有振動数よりも大きい固有振動数を有する圧電振動子Ｐ７と、を備えている。このため、音響装置１Ｋは、音響装置１Ｈよりも高音域の音質を向上させることができる。
【０１１１】
（第１２実施形態）
図１６は、第１２実施形態に係る音響装置を示す平面図である。図１５及び図１６に示されるように、第１２実施形態に係る音響装置１Ｌは、圧電振動子Ｐ８の配置が異なる点で、音響装置１Ｈと相違し、その他の点で音響装置１Ｈと一致している。つまり、音響装置１Ｌも、固有振動数の異なる圧電振動子Ｐ７及び圧電振動子Ｐ８を備えるので、小型化を図りつつ、広い音域で音質を向上させることができる。
【０１１２】
音響装置１Ｌでは、各圧電振動子Ｐ８は、主面１１ａの長軸方向が第２方向Ｄ２と一致し、主面１１ａの短軸方向が第１方向Ｄ１と一致するように配置されている。各圧電振動子Ｐ８の少なくとも一部は、一方の長辺部分３ｃに配置されている。具体的には、主面１１ａの長軸方向の一端部は、一方の長辺部分３ｃに配置されている。各圧電振動子Ｐ８は、一対の短辺部分３ｄから離間して配置されている。各圧電振動子Ｐ８は、一方の長辺部分３ｃに沿って各圧電振動子Ｐ７と並んで配置されている。各圧電振動子Ｐ８は、各圧電振動子Ｐ７よりも直線Ｍの近くに配置されている。
【０１１３】
第３方向Ｄ３から見て、圧電振動子Ｐ７と圧電振動子Ｐ８との間の距離（最短距離）は、圧電振動子Ｐ８の最大長さＬ８よりも短い。このように、圧電振動子Ｐ７と圧電振動子Ｐ８とが互いに近くに配置されているので、位相差が生じにくい。これにより、圧電振動子Ｐ７の音と、圧電振動子Ｐ８の音とのつながりがよくなる。
【０１１４】
（第１３実施形態）
図１７は、第１２実施形態に係る音響装置を示す平面図である。図１５及び図１７に示されるように、第１２実施形態に係る音響装置１Ｍは、圧電振動子Ｐ８の配置が異なる点で、音響装置１Ｊと相違し、その他の点で音響装置１Ｊと一致している。つまり、音響装置１Ｍも、固有振動数の異なる圧電振動子Ｐ７及び圧電振動子Ｐ８を備えるので、小型化を図りつつ、広い音域で音質を向上させることができる。
【０１１５】
音響装置１Ｍでは、各圧電振動子Ｐ８は、主面１１ａの長軸方向が第１方向Ｄ１と一致し、主面１１ａの短軸方向が第２方向Ｄ２と一致するように配置されている。各圧電振動子Ｐ８は、長辺部分３ｃ及び短辺部分３ｄから離間して配置されている。各圧電振動子Ｐ８は、重心Ｇの近くに配置されている。第３方向Ｄ３から見て、圧電振動子Ｐ８と拘束部材２との間の距離（最短距離）は、圧電振動子Ｐ７と拘束部材２との間の距離（最短距離）よりも長い。
【０１１６】
図９で説明したように、圧電振動子Ｐ１が重心Ｇに近いほど低音域で変位が減少し、高音域で追従性が向上する。同様に、圧電振動子Ｐ８が重心Ｇに近いほど低音域で変位が減少し、高音域で追従性が向上する。したがって、音響装置１Ｍによれば、音響装置１Ｊよりも高音域で音質を一層向上させることができる。
【０１１７】
（第１４実施形態）
図１８は、第１４実施形態に係る音響装置を示す平面図である。図８及び図１８に示されるように、第１４実施形態に係る音響装置１Ｎは、圧電振動子Ｐ１及び圧電振動子Ｐ２の配置が異なる点で、音響装置１Ｅと相違し、その他の点で音響装置１Ｅと一致している。つまり、音響装置１Ｎも、固有振動数の異なる圧電振動子Ｐ１及び圧電振動子Ｐ２を備えるので、小型化を図りつつ、広い音域で音質を向上させることができる。
【０１１８】
音響装置１Ｅでは、各圧電振動子Ｐ１は、各圧電振動子Ｐ２よりも直線Ｍから離間して配置されているのに対し、音響装置１Ｎでは、各圧電振動子Ｐ１は、各圧電振動子Ｐ２よりも直線Ｍの近くに配置されている。各圧電振動子Ｐ１は、各圧電振動子Ｐ２よりも重心Ｇの近くに配置されている。第３方向Ｄ３から見て、圧電振動子Ｐ１と重心Ｇとの間の距離（最短距離）は、圧電振動子Ｐ２と重心Ｇとの間の距離（最短距離）よりも短い。図９で説明したように、圧電振動子Ｐ１が重心Ｇに近いほど低音域で変位が減少し、高音域で追従性が向上する。したがって、音響装置１Ｎでは、圧電振動子Ｐ１が高音域で音質を確実に向上させることができる。よって、音響装置１Ｎは、広い音域で音質を確実に向上させることができる。
【０１１９】
本発明は必ずしも上述した実施形態に限定されるものではなく、その要旨を逸脱しない範囲で様々な変更が可能である。
【０１２０】
例えば、圧電振動子Ｐ１〜圧電振動子Ｐ８は、主面３ａでなく、主面３ｂに配置されていてもよい。
【符号の説明】
【０１２１】
１Ａ，１Ｂ，１Ｃ，１Ｄ，１Ｅ，１Ｆ，１Ｇ，１Ｈ，１Ｉ，１Ｊ，１Ｋ，１Ｌ，１Ｍ，１Ｎ…音響装置、２…拘束部材、３…振動部材、３ａ…主面、Ｐ１，Ｐ２，Ｐ３，Ｐ４，Ｐ５，Ｐ６，Ｐ７，Ｐ８…圧電振動子、Ｇ…重心。
【図１】
2020120196.tif 000003
【図２】
2020120196.tif 000004
【図３】
2020120196.tif 000005
【図４】
2020120196.tif 000006
【図５】
2020120196.tif 000007
【図６】
2020120196.tif 000008
【図７】
2020120196.tif 000009
【図８】
2020120196.tif 000010
【図９】
2020120196.tif 000011
【図１０】
2020120196.tif 000012
【図１１】
2020120196.tif 000013
【図１２】
2020120196.tif 000014
【図１３】
2020120196.tif 000015
【図１４】
2020120196.tif 000016
【図１５】
2020120196.tif 000017
【図１６】
2020120196.tif 000018
【図１７】
2020120196.tif 000019
【図１８】
2020120196.tif 000020